(57)【要約】【課題】本発明は、眼鏡脚部の破損を防止する３Ｄ眼鏡安全構造を提供することを目的とする。【解決手段】３Ｄ眼鏡安全構造は、眼鏡フレーム及び２つの眼鏡脚部を備え、前記眼鏡フレームの両側には、それぞれ１つのピボットが設置され、２つの前記ピボットは２つの前記眼鏡脚部に軸連結し、前記眼鏡フレームのピボットの後方には支点が設置され、前記眼鏡脚部の一端には枢着部が設置され、前記枢着部は前記ピボットに軸連結する軸受を備え、前記軸受には開口が設けられ、前記開口の幅は前記ピボットの直径より小さく、前記軸受は弾性を有し、前記支点の位置は、前記眼鏡脚部の位置に対応する。【選択図】図１
2013017168.tif 000002
【特許請求の範囲】
【請求項１】
眼鏡フレーム及び２つの眼鏡脚部を備える３Ｄ眼鏡安全構造であって、
前記眼鏡フレームの両側には、それぞれ１つのピボットが設置され、２つの前記ピボットは２つの前記眼鏡脚部に軸連結し、前記眼鏡フレームのピボットの後方には支点が設置され、
前記眼鏡脚部の一端には枢着部が設置され、前記枢着部は前記ピボットに軸連結する軸受を備え、前記軸受には開口が設けられ、前記開口の幅は前記ピボットの直径より小さく、前記軸受は弾性を有し、前記支点の位置は、前記眼鏡脚部の位置に対応することを特徴とする３Ｄ眼鏡安全構造。
【請求項２】
前記眼鏡フレームは、２つのレンズステー及び２つの前記レンズステーの両側に位置する２つの連結部を備え、前記ピボット及び前記支点は前記連結部に設置されることを特徴とする請求項１に記載の３Ｄ眼鏡安全構造。
【請求項３】
前記眼鏡脚部が前記連結部の外側に向かって動く時、前記支点は前記眼鏡脚部の外側に当接することを特徴とする請求項２に記載の３Ｄ眼鏡安全構造。
【請求項４】
前記眼鏡脚部の他端には耳掛け部が設置されることを特徴とする請求項１から３のいずれか一項に記載の３Ｄ眼鏡安全構造。
【請求項５】
前記支点は、前記眼鏡脚部の枢着部と耳掛け部との間に位置することを特徴とする請求項４に記載の３Ｄ眼鏡安全構造。
【請求項６】
前記支点から前記耳掛け部までの距離は、前記支点から前記枢着部までの距離より長いことを特徴とする請求項５に記載の３Ｄ眼鏡安全構造。
【請求項７】
前記軸受は軸孔を備え、前記軸孔の孔径は、前記ピボットの直径と等しく、前記軸孔及び前記開口は連通されることを特徴とする請求項１から６のいずれか一項に記載の３Ｄ眼鏡安全構造。
【発明の詳細な説明】
【技術分野】
【０００１】
本発明は、３Ｄ立体映画を見るために用いられる３Ｄ眼鏡における安全構造に関するものである。
【背景技術】
【０００２】
３次元映像による３Ｄ立体映画が公開されてから、３Ｄ立体映画を見るための専門の３Ｄ眼鏡が使用されている。３Ｄ眼鏡の眼鏡フレーム及び眼鏡脚部は、熱可塑性のプラスチック材料からなり、このような材料は硬質であり脆くて割れる危険性がある。眼鏡脚部は眼鏡フレームの両端で折り畳み可能となるようにヒンジ結合される。通常、使用する場合、眼鏡フレームの両側の眼鏡脚部を外側に向かって展開して、両側の眼鏡脚部が頭部の前方部を通過して耳に掛けるようにする。しかし、誤った使用をすると、例えば、子供が眼鏡で遊ぶか又は眼鏡脚部が必要以上の外力を受けて、眼鏡脚部の展開角度がプラスチック材料の許容範囲を超えると、眼鏡脚部が破損してユーザーが負傷するという安全性の問題が存在する。
【発明の概要】
【発明が解決しようとする課題】
【０００３】
本発明の目的は、眼鏡脚部の破損を防止する３Ｄ眼鏡安全構造を提供することである。
【課題を解決するための手段】
【０００４】
前記目的を達成するため、本発明に係る３Ｄ眼鏡安全構造は、眼鏡フレーム及び２つの眼鏡脚部を備え、前記眼鏡フレームの両側には、それぞれ１つのピボットが設置され、２つの前記ピボットは２つの前記眼鏡脚部に軸連結し、前記眼鏡フレームのピボットの後方には支点が設置され、前記眼鏡脚部の一端には枢着部が設置され、前記枢着部は前記ピボットに軸連結する軸受を備え、前記軸受には開口が設けられ、前記開口の幅は前記ピボットの直径より小さく、前記軸受は弾性を有し、前記支点の位置は、前記眼鏡脚部の位置に対応する。
【発明の効果】
【０００５】
本発明の３Ｄ眼鏡安全構造において、眼鏡脚部の軸受は眼鏡フレームの連結部のピボットに着脱可能に軸連結されて、前記眼鏡脚部を正しく使用する場合、前記眼鏡脚部の軸受と前記連結部のピボットとの軸連結構造は安定であるが、前記眼鏡脚部が前記連結部の外側に向かう必要以上の外力を受けると、前記ピボットが前記眼鏡脚部の軸受から退出して、前記眼鏡脚部が前記連結部から離れ、前記眼鏡脚部が破損することによる安全性の問題を解消し、使用者が３Ｄ眼鏡を掛ける時の安全性を保証する。
【図面の簡単な説明】
【０００６】
【図１】本発明の実施形態に係る３Ｄ眼鏡安全構造を示す図である。
【図２】図１に示す３Ｄ眼鏡安全構造の眼鏡脚部の枢着部分の分解図である。
【図３】図２に示す３Ｄ眼鏡安全構造の眼鏡脚部の枢着部分の断面図である。
【図４】図１に示す３Ｄ眼鏡安全構造の眼鏡脚部を外側に向かって必要以上に展開した場合を示す図である。
【図５】図１に示す３Ｄ眼鏡安全構造の眼鏡脚部が眼鏡フレームから離れることを示す図である。
【発明を実施するための形態】
【０００７】
以下、図面を参照して、本発明の実施例について説明する。
【０００８】
図１は、本発明の実施形態に係る３Ｄ眼鏡安全構造を示す図である。前記３Ｄ眼鏡安全構造１０は、眼鏡フレーム１２及び２つの眼鏡脚部１４を備える。
【０００９】
前記眼鏡フレーム１２は、２つのレンズステー１２２及び２つの前記レンズステー１２２の両側に位置する連結部１２４を備える。前記レンズステー１２２は、レンズ（図示せず）を保持するために用いられる。前記眼鏡脚部１４は、前記連結部１２４に折り畳み可能に連結される。前記眼鏡フレーム１２の内側に向かって前記眼鏡脚部１４を折り畳む場合、前記眼鏡脚部１４は前記眼鏡フレーム１２の内側に収容される。２つの前記眼鏡脚部１４を展開して、使用者が眼鏡を掛ける場合、前記眼鏡脚部１４は前記連結部１２４に制限されて、２つの前記眼鏡脚部１４の間の距離はＤであり、前記眼鏡脚部１４は使用者の頭部に当接して耳に掛けられ、使用者の目は前記レンズステー１２２のレンズを介して３Ｄ立体映画を見ることができる。しかし、前記眼鏡脚部１４が必要以上の外力を受けて前記眼鏡フレーム１２の外側に向かってさらに展開される場合（図４を参照）、従来の眼鏡脚部は脆くて割れるか又は折れて、ユーザーが損傷するという安全性の問題が存在する。前記眼鏡脚部１４は、前記眼鏡脚部１４の両端に設置される枢着部１４２及び耳掛け部１４４を備え、前記枢着部１４２は、前記連結部１２４のピボット１２６に枢着され、前記耳掛け部１４４は、使用者が眼鏡を耳に掛けることに使用される。
【００１０】
図２に示されたように、前記枢着部１４２の末端には、軸孔１４６０及び開口１４６２が設けられ且つ弾性を有する軸受１４６が設置される。前記軸孔１４６０の孔径は、前記ピボット１２６の直径に対応し、前記開口１４６２は、前記軸孔１４６０に連通され且つ前記軸受１４６の前記連結部１２４に向かう片側に位置し、前記開口１４６２の幅は、前記ピボット１２６の直径より小さい。前記眼鏡脚部１４の枢着部１４２を前記連結部１２４のピボット１２６に枢着させる場合、前記軸受１４６の開口１４６２の両側を前記ピボット１２６の外縁に当接させてから、前記軸受１４６を前記ピボット１２６に向かって押圧して、前記軸受１４６が弾性変形されることによって、前記軸受１４６の開口１４６２の幅が前記ピボット１２６の直径と等しくなると、前記ピボット１２６は前記開口１４６２から前記軸受１４６の内部に収容され、前記軸受１４６が弾性復帰して、前記開口１４６２の幅は前記ピボット１２６の直径より小さくなる（図３を参照）。前記眼鏡脚部１４の軸受１４６と前記ピボット１２６との軸連結構造は、前記眼鏡脚部１４が前記眼鏡フレーム１２の連結部１２４から任意に離脱しないようにして、前記眼鏡脚部１４は前記連結部１２４の内側に又は前記連結部１２４の外側に向かって動くことができる。前記軸受１４６を押圧して前記ピボット１２６に軸連結することができるので、前記眼鏡脚部１４を前記眼鏡フレーム１２に容易に装着することができ、且つコストを下げることができる。
【００１１】
前記連結部１２４における前記ピボット１２６の後方には、突出された支点１２８が設置される。前記眼鏡脚部１４が前記連結部１２４の外側に向かって最大範囲まで動いた時に、前記支点１２８は、眼鏡脚部１４の外側面に当接される。本発明の３Ｄ眼鏡安全構造１０において、前記眼鏡脚部１４はてこと見なされ、前記支点１２８は、作用点である前記枢着部１４２と力点である前記耳掛け部１４４との間に位置する。前記眼鏡脚部１４の耳掛け部１４４から前記支点１２８までの距離は、前記眼鏡脚部１４の枢着部１４２から前記支点１２８までの距離より長いので、てこの原理によって、力点である前記耳掛け部１４４に前記連結部１２４の外側に向かう必要以上の外力を加えると、作用点である前記枢着部１４２で得られる前記連結部１２４の内側に向かう作用力は、前記耳掛け部１４４に加える外力より大きく、前記枢着部１４２は前記連結部１２４の内側に向かって動き、前記軸受１４６が弾性変形され、前記軸受１４６の開口１４６２の幅が前記ピボット１２６の直径と等しくなると、前記ピボット１２６が前記枢着部１４２の軸受１４６から退出して、前記眼鏡脚部１４が前記連結部１２４から離れ（図５を参照）、従って前記耳掛け部１４４に加える必要以上の外力によって前記眼鏡脚部１４に生じる応力を除去することができ、前記眼鏡脚部１４が破損することによる安全性の問題を解消できる。
【００１２】
本発明の３Ｄ眼鏡安全構造１０において、前記眼鏡脚部１４の軸受１４６は前記連結部１２４のピボット１２６に着脱可能に軸連結されて、前記眼鏡脚部１４を正しく使用する場合、前記眼鏡脚部１４の軸受１４６と前記連結部１２４のピボット１２６との軸連結構造は安定であるが、前記眼鏡脚部１４が前記連結部１２４の外側に向かう必要以上の外力を受けると、前記ピボット１２６が前記眼鏡脚部１４の軸受１４６から退出して、前記眼鏡脚部１４が前記連結部１２４から離れ、前記眼鏡脚部１４が破損することによる安全性の問題を解消し、使用者が３Ｄ眼鏡を掛ける時の安全性を保証する。
【００１３】
以上、本発明を実施例に基づいて具体的に説明したが、本発明は、上述の実施例に限定されるものではなく、その要旨を逸脱しない範囲において、種々の変更が可能であることは勿論であって、本発明の保護範囲は、以下の特許請求の範囲から決まる。
【符号の説明】
【００１４】
１０  ３Ｄ眼鏡安全構造
１２  眼鏡フレーム
１４  眼鏡脚部
１２２  レンズステー
１２４  連結部
１２６  ピボット
１２８  支点
１４２  枢着部
１４４  耳掛け部
１４６  軸受
１４６０  軸孔
１４６２  開口
【図１】
2013017168.tif 000003
【図２】
2013017168.tif 000004
【図３】
2013017168.tif 000005
【図４】
2013017168.tif 000006
【図５】
2013017168.tif 000007